(57)【要約】【課題】      盗難防止装置の挿入部材のスムーズな抜き取りができるようにする。【解決手段】  箱体１の開口を開閉するように、箱体の一辺にヒンジを介し設けた蓋体４で盗難防止対象物Ａの収納陳列ケースＫを形成し、陳列ケースの所要位置の挿入口から陳列ケースに設けたガイド手段１０により案内される挿入部材１１を挿入すると共に、挿入部材と箱体及び蓋体とに掛合関係によって陳列ケースの開放阻止の掛合手段Ｂを設け、挿入部材と陳列ケースとに挿入部材の挿入にともない復元力に抗して押し戻される係止爪２１と、挿入部材の挿入終了にともない上記係止爪が係合関係になる係合部２２とを設けた盗難防止装置で、挿入部材の挿入方向の線上に所要数の係止爪を設けると共に、係止爪の全部或いは一部を磁石により磁吸される金属を用い、挿入部材に磁吸による係合解除の方向に傾動する係止爪のケースの内面に圧接を阻止するストッパ手段２５を設けた構成を採用する。【選択図】    図３
2006188235.tif 000002
【特許請求の範囲】
【請求項１】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入にともない復元力に抗して押し戻される係止爪と、上記挿入部材の挿入終了にともない上記係止爪が係合関係になる係合部とを設けた盗難防止装置において、上記挿入部材の挿入方向の線上に所要数の係止爪を設けると共に、この係止爪の全部或いは一部を磁石により磁吸される金属を用い、また上記挿入部材に磁吸による係合解除の方向に傾動する上記係止爪の上記ケースの内面に対する圧接を阻止するストッパ手段を設けたことを特徴とする盗難防止装置。
【請求項２】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合手段を設け、上記挿入部材に前記挿入部材の挿入にともない復元力に抗して押し戻される係止爪と、上記挿入部材の挿入終了にともない上記係止爪が係合関係になる係合部とを設けた盗難防止装置において、上記挿入部材の周囲四面の所要二面の片方一面に上記係合部に係合関係になる磁吸されない係止爪を設け、もう片方一面に挿入部材の押入にともない押し戻される磁吸係止爪を設けると共に、上記陳列ケース側に上記挿入部材の挿入終了にともない上記磁吸される係止爪が係合関係になる係合部を設け、さらに上記陳列ケースの上記磁吸されない係止爪と合致する位置に解除具の磁吸されない係止爪押し戻し用突軸が貫通する貫通孔を設けたことを特徴とする盗難防止装置。
【請求項３】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合手段を設け、上記挿入部材に前記挿入部材の挿入にともない復元力に抗して押し戻される係止爪と、上記挿入部材の挿入終了にともない上記係止爪が係合関係になる係合部とを設けた盗難防止装置において、上記挿入部材の所要面に上記係合部に係合関係になる磁吸されない係止爪と、挿入部材の挿入にともない押し戻される磁吸係止爪を設けると共に、上記陳列ケース側に上記挿入部材の挿入終了にともない上記磁吸係止爪が係合関係になる係合部を設けたことを特徴とする盗難防止装置。
【請求項４】
前記挿入部材に盗難防止タグを設けたことを特徴とする請求項１、２又は３に記載の盗難防止装置。
【請求項５】
品物を収納した盗難防止対象物の所定位置に挿入口を設けると共に、上記盗難防止対象物内に上記挿入口から差し込む挿入部材を挿入開始からガイドするガイド手段を設け、上記挿入部材の周囲四面の所要二面の片方一面に挿入にともない押し戻される磁吸されない係止爪を、もう片方一面に挿入にともない押し戻される磁吸係止爪を設け、上記盗難防止対象物内に上記挿入部材の挿入終了にともない磁吸されない係止爪と磁吸される係止爪とがそれぞれ係合関係になる係合部を設け、上記盗難防止対象物の壁の上記磁吸されない係止爪と合致する位置に解除具の磁吸されない係止爪押し戻し用の突軸が貫通する貫通孔を設け、また上記挿入部材に盗難防止タグを設けたことを特徴とする盗難防止対象物の展示システム。
【請求項６】
品物を収納した盗難防止対象物の所定位置に挿入口を設けると共に、上記盗難防止対象物内に上記挿入口から差し込む挿入部材を挿入開始からガイドするガイド手段を設け、上記挿入部材の所要面に挿入にともない押し戻される磁吸されない係止爪と磁吸される磁吸係止爪を設け、上記盗難防止対象物内に上記挿入部材の挿入終了にともない磁吸されない係止爪と磁吸される係止爪とがそれぞれ係合関係になる係合部を設け、上記挿入部材に盗難防止タグを設けたことを特徴とする盗難防止対象物の展示システム。
【発明の詳細な説明】
【技術分野】
【０００１】
この発明は、ケースに収納してある盗難防止対象物や展示盗難防止対象物が盗難に遭うのを防止するもので、例えば、メーカーの収納ケースに収納してある商品の音楽や映像を記録してあるディスクが陳列時に盗難に遭うのを防止する盗難防止装置に関する。
【背景技術】
【０００２】
ショップにディスクの収納したケースを陳列すると、収納ケースを開放して、収納ケース内のディスクの取り出しが容易になるので、ディスクの盗難に遭う（特許文献１）。
【０００３】
そこで、透明な合成樹脂の袋により上述の収納ケースを包装して陳列する。
【０００４】
しかしながら、容易に袋を破ることができるので、収納ケース内のディスクの盗難に遭う。
【０００５】
そこで、盗難防止を目的とした錠装置付陳列ケースの錠装置としての昇降体を押し込むことで、貫孔の縁と掛止爪との係合関係により昇降体の押し込み状態の維持をはかって、陳列ケースからディスクの収納ケースの取り出しを阻止するようにしたものがある（特許文献２）。
【０００６】
しかしながら、ショップでの陳列時に陳列ケースからディスクの収納した収納ケースの取り出しを防止することができても、レンタルに際しショップ側の解除具によって貫孔の縁と掛止爪との係合関係を解除した状況下で、陳列ケースから収納ケースを取り出し、取り出した収納ケースを貸し出す。
【０００７】
すると、ショップに空の盗難防止機能付の陳列ケースが残り、残った空の陳列ケースをショップ側で保管することになるので、整理に著しく手数がかかると共に、広い保管場所を必要とする問題が発生した。
【０００８】
上述の陳列ケースから収納ケースを取り出す要因は、陳列ケースに錠装置としての昇降体が存在するので、顧客が誤まって昇降体を押し込むと、貫孔の縁と掛止爪との係合関係によって昇降体の押し込み維持がはかられ、陳列ケースから収納ケースの取り出しができなくなるからである。
【０００９】
そこで、ケースの箱体と蓋体との並列係合溝にケースの閉鎖維持係合状態にスライダを差し込むと共に、差し込み終了にともないスライダとケース或いは係合溝との係止手段を構成する係止片と係止部との係合関係によって、ケースからスライダの引き抜きを阻止し、この阻止により陳列時のケース内のディスクの取り出し、すなわち、盗難する。
【００１０】
一方、貸し出しに際し、ショップ側の解除具を差し込んで係止片と係合部との係合関係を解除し、次いで解除具と共にスライダを引き抜いて、引き抜いた解除具及びスライダをショップ側に回収する。
【００１１】
すると、ディスクの収納ケースを貸し出しケースとして転用することができて、転用時にケースの閉鎖錠手段がないため前述の問題をなくすることができる（特許文献３）。
【００１２】
【特許文献１】特開平１０−５９４０９号公報（図９）
【特許文献２】特開平１０−２５０７３９号公報
【特許文献３】特許第３３９４７２８号公報
【発明の開示】
【発明が解決しようとする課題】
【００１３】
ところで、特許文献３の構造のショップにスライダを回収する解除は、間隙に解除具を差し込みながら、係止手段の係合関係の係止片を押し戻して係止部から係止片が外れるようにする方式のため、ショップ以外の解除具を用いないで、間隙に顧客が携行した薄い帯板を差し込むことにより係止片を押し戻して、係止片と係合部との係合関係を解除することができる。
【００１４】
このため、顧客によるスライダの抜き取りが可能になり、ケースに収納してあるディスクの盗難に遭う。
【００１５】
そこで、この発明は、係止手段の係合関係の解除を困難にして収納物である例えばディスクや展示盗難防止対象物の盗難を防止するようにしたことにある。
【課題を解決するための手段】
【００１６】
上記のような課題を解決するために、この発明は、箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入にともない復元力に抗して押し戻される係止爪と、上記挿入部材の挿入終了にともない上記係止爪が係合関係になる係合部とを設けた盗難防止装置において、上記挿入部材の挿入方向の線上に所要数の係止爪を設けると共に、この係止爪の全部或いは一部を磁石により磁吸される金属を用い、また上記挿入部材に磁吸による係合解除の方向に傾動する上記係止爪の上記ケースの内面に対する圧接を阻止するストッパ手段を設けた構成を採用する。
【００１７】
また、箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合手段を設け、上記挿入部材に前記挿入部材の挿入にともない復元力に抗して押し戻される係止爪と、上記挿入部材の挿入終了にともない上記係止爪が係合関係になる係合部とを設けた盗難防止装置において、上記挿入部材の周囲四面の所要二面の片方一面に上記係合部に係合関係になる磁吸されない係止爪を設け、もう片方一面に挿入部材の挿入にともない押し戻される磁吸係止爪を設けると共に、上記陳列ケース側に上記挿入部材の挿入終了にともない上記磁吸される係止爪が係合関係になる係合部を設け、さらに上記陳列ケースの上記磁吸されない係止爪と合致する位置に解除具の磁吸されない係止爪押し戻し用突軸が貫通する貫通孔を設けた構成を採用することもある。
【００１８】
さらに、前記挿入部材に盗難防止タグを設けておく。
【００１９】
また、品物を収納した盗難防止対象物の所定位置に挿入口を設けると共に、上記盗難防止対象物内に上記挿入口から差し込む挿入部材を挿入開始からガイドするガイド手段を設け、上記挿入部材の周囲四面の所要二面の片方一面に挿入にともない押し戻される磁吸されない係止爪を、もう片方一面に挿入にともない押し戻される磁吸係止爪を設け、上記盗難防止対象物内に上記挿入部材の挿入終了にともない磁吸されない係止爪と磁吸される係止爪とがそれぞれ係合関係になる係合部を設け、上記盗難防止対象物の壁の上記磁吸されない係止爪と合致する位置に解除具の磁吸されない係止爪押し戻し用の突軸が貫通する貫通孔を設け、また上記挿入部材に盗難防止タグを設けた盗難防止対象物の展示システムを採用する。
【００２０】
さらに、品物を収納した盗難防止対象物の所定位置に挿入口を設けると共に、上記盗難防止対象物内に上記挿入口から差し込む挿入部材を挿入開始からガイドするガイド手段を設け、上記挿入部材の所要面に挿入にともない押し戻される磁吸されない係止爪と磁吸される磁吸係止爪を設け、上記盗難防止対象物内に上記挿入部材の挿入終了にともない磁吸されない係止爪と磁吸される係止爪とがそれぞれ係合関係になる係合部を設け、上記挿入部材に盗難防止タグを設けたことを特徴とする盗難防止対象物の展示システムを採用することもある。
【発明の効果】
【００２１】
以上のように、この発明の盗難防止装置によれば、磁石を用いて係止爪の磁吸により係合部に対する係合関係を解除したとき、ストッパ手段による係止爪の係合解除方向の傾動を止めるので、磁吸による係止爪の陳列ケース内面（ガイド手段内）に対する強力な圧接が阻止される。
【００２２】
このため、陳列ケースに対する挿入部材のスムーズな抜き取りが可能になる。
【００２３】
また、陳列ケースや盗難防止対象物に挿入する挿入部材に磁吸されない係止爪と磁吸される係止爪を配置して、磁吸されない係止爪を貫通孔に解除具の突軸を貫通させて、係合部に対する磁吸されない係止爪の係合関係を解除し、また杆材の差し込みによって係合部に対する磁吸されない係止爪の係合関係を解除し、磁吸される係止爪を磁石を用いて磁吸し、係合部に対する磁吸される係止爪の係合関係を解除するようにしてあるので、解除の操作が複雑になって盗難防止に効果を発揮する。
【００２４】
すなわち、周知の単独の磁吸されない係止爪や磁吸される係止爪の場合のような係合関係を解除されやすい問題を、磁吸されない係止爪と磁吸される係止爪との組み合わせにより解除を著しく困難にする特有な効果を発揮する。
【００２５】
さらに、ショップ側に回収する挿入部材にタグを設けてあるので、ショップからの陳列ケースや盗難防止対象物の不正な持ち出しを検出することもできる。
【発明を実施するための最良の形態】
【００２６】
以下、この発明の実施の形態を添付図面に基づいて説明する。
【００２７】
この発明の第１の実施形態では、図１から図５に示すように、箱体１と、この箱体１の開口２を開閉するように箱体１の一辺にヒンジ３を介し設けた蓋体４とで盗難防止対象物Ａを収納する陳列ケースＫを形成する。
【００２８】
上記の箱体１及び蓋体４は、図示の場合、主壁５と、この主壁５の辺縁から連なって主壁５の裏面方向に突出する周壁６とで構成され、蓋体４の周壁６が箱体１の周壁６の外側に嵌装するようにしたが、嵌装を逆にすること、或いは周壁６の開放縁を突き合わせることもある。
【００２９】
上記のヒンジ３は、図示の場合、合成樹脂により陳列ケースＫを成形する際、箱体１の一辺の周壁６の両端を切り離して、この両端切り離し周壁６と箱体１及び蓋体４の各主壁５との連成境に二条のハーフカットのヒンジ３を設けて形成したが、箱体１の両側の平行する二辺の周壁６の端に蓋体４の両側の平行する二辺の周壁６の端を図７、１１に示すようにピン７を介し取付けてヒンジとすることもできる。
【００３０】
上記の盗難防止対象物Ａは、図示の場合ディスクを示し、箱体１の主壁５の裏面中央に設けてある支持爪８にディスクのセンタ孔を支持させて収納するようにしたが、ディスクにかえてその他の盗難防止対象物Ａ、盗難を防止する物、例えばビデオテープなどであってもよい。
【００３１】
また、陳列ケースＫの所要位置に設けてある挿入口９から陳列ケースＫに設けてあるガイド手段１０により案内される挿入部材１１を挿入すると共に、この挿入部材１１と箱体１及び蓋体４とに掛合関係によって陳列ケースＫの開放阻止の掛合手段Ｂが設けてある。
【００３２】
上記挿入口９を有するガイド手段１０は、例えば図示の場合、箱体１及び蓋体４の両主壁５のヒンジ３に対向する辺縁を周壁６よりも外方に突出させ、この突出縁からそれぞれ内方（周壁６に向く）に突出させて陳列ケースＫの閉鎖に突き合わせるＬ形の連成壁１２と周壁６とで一端に挿入口９を有する角筒を形成してガイドとなるようにしたが、周壁６の外側に限定されず、周壁６の内側に位置するよう周壁６に挿入口９を、箱体１と蓋体４の両主壁５の裏面にレール用の突条を設けて（いずれも図示省略）挿入部材１１の挿入ガイドとすることもある。
【００３３】
要するに、上記構成に限定されずその他の構成で挿入部材１１の挿入をガイドするものであればよい。
【００３４】
そして、ガイド手段１０を設ける位置も、図示のヒンジ３に平行する辺縁に限定されず、陳列ケースＫのヒンジ３の端側の辺に挿入口を有するガイド手段を設けることもある。
【００３５】
上記の掛合手段Ｂは、図示の場合両連成壁１２に挿入部材１１側に突出する突出条１３を設けて、この両突出条１３を挿入部材１１を構成する帯状の連結板１４と、この連結板１４の両側縁から連なって縦断面Ｈ状に連なる両側板１５、１５の縁で両突出条１３を挿入部材１１の挿入にともない図５に示すように抱き込んで、挿入部材１１と箱体１及び蓋体４とが掛合関係になって陳列ケースＫの開放を阻止するようになっているが、その他の掛合手段Ｂにより挿入した挿入部材１１が、キーの役目をして陳列ケースＫの開放を阻止してもよい。
【００３６】
要するに、上記構成に限定されずその他の構成で挿入部材１１の挿入によって、挿入部材１１に対し箱体１側と蓋体４側とが掛合関係になって閉鎖状態の維持をはかるものであればよい。
【００３７】
なお、図４に示すように、挿入部材１１の挿入先行端の先端から突出する突片１６を箱体１及び蓋体４の突出部１７の孔１８に貫通、嵌入し、また挿入部材１１の末端両側の抱き込み片１９を箱体１及び蓋体４の主壁５に外接することにより（いずれも挿入部材１１の挿入終了時に）、挿入部材１１が閂の役目をして陳列ケースＫに開放方向の無理矢理な力を加えても、陳列ケースＫの閉鎖維持をはかることができる。
【００３８】
さらに、挿入部材１１には、挿入部材１１の挿入にともないガイド手段１０に接して復元力に抗して押し戻される係止爪２１の所要数が、陳列ケースＫには、挿入部材１１の挿入終了にともない押し戻し力により復帰する係止爪２１が図３に示すように係合関係になって挿入部材１１の引き抜きを阻止する係合部２２が設けてある。
【００３９】
そして、係止爪２１の全部或いは一部を磁石により磁吸させて、係合部２２に対する係止爪２１の係合関係を解除する金属を用いる。
【００４０】
上記の係止爪２１は、図示の場合、合成樹脂により係止爪２１付の挿入部材１１を一体的に成形したため、係止爪２１の傾動自由端側に鉄片２３をネジ込みや、嵌合式、接着剤などで固定したが、金属製の係止爪の端末を挿入部材に取付けて設けることができる。
【００４１】
勿論、鉄片２３付の係止爪２１の傾動支点部２４は、挿入部材１１に一体成形による連なる部分になり、金属製の係止爪の傾動支点は、取付け部分の前側で支点の屈曲か可能なように肉厚を薄くするなど考慮し、また係合部２２に対する係止爪２１の爪部の合致にともなう自動係合のため、一体成形や取付けに際し挿入部材１１の挿入にともないガイド手段１０と係止爪２１の傾動自由端側との接触により押し戻して係止爪２１に復元力が働くように角度を決定する。
【００４２】
そして、係止爪２１及び係合部２２も図示の場合、挿入部材１１の挿入線上の前後に２個配置したが、数は限定されず適宜決定し、また配置も直線上や直線の左右にジクザグ状に設けることもできる。
【００４３】
すると、挿入部材１１によって陳列ケースＫの開放を阻止して、盗難防止対象物Ａの盗難を防止する。
【００４４】
また、ショップ側の解除具Ｄの磁石３１により鉄片２３を磁吸して、係合部２２に対する係止爪２１の係合関係を解除した際、係止爪２１が陳列ケースＫに対し（ガイド手段１０の内面に対し）圧接をストッパ手段２５により阻止するようになっている。
【００４５】
上記のストッパ手段２５は、図示の場合挿入部材１１内に成形により一体的に設けてある壁２６と、係止爪２１の傾動支点２４側の突出部２７とが当接してストップするようになっているが、挿入部材１１内に例えば横架した杆（図示省略）に係止爪２１の中途を当接させて同目的を達成するようにすることもできる。
【００４６】
すると、図６に示すように解除具Ｄの磁石３１により鉄片２３を磁吸して、係合部２２と係止爪２１との係合関係を解除する。
【００４７】
このとき、ストッパ手段２５によって磁吸された係止爪２１のガイド手段１０内への圧接を阻止する。
【００４８】
この状況下で、陳列ケースＫを図６矢符の左方向に、或いは解除具Ｄを図６右方向にスライドさせることで、解除具Ｄと挿入部材１１の片３２との引っかかりによって陳列ケースＫから挿入部材１１が引き抜かれる。
【００４９】
上記引き抜きに際し、上述のように係止爪２１の圧接がないため、圧接による摩擦抵抗や引っかかりがなく、スムーズな挿入部材１１の抜き取りが保障される。
【００５０】
抜き取った挿入部材１１は、ショップ側に回収されて再使用し、挿入部材１１の回収ずみ陳列ケースＫは、貸し出しや販売ケースとして転用する。
【００５１】
その際、転用したケースには、挿入部材１１が存在しないため、ケースの開閉が自由になる。
【００５２】
なお、係合部２２は、例えば挿入部材１１の挿入時に係止爪２１が乗り越えるテーパー突起や孔、凹入段部で構成する。
【００５３】
この発明の第２の実施形態では、図７から図１３に示すように、箱体１と、この箱体１の開口２を開閉するように箱体１の一辺にヒンジを介し設けた蓋体４とで盗難防止対象物Ａを収納する陳列ケースＫを形成する。
【００５４】
上記のヒンジは、図示の場合ピン７ヒンジを示したが、第１の実施形態と同様のハーフカットのヒンジであってもよい。
【００５５】
上記の盗難防止対象物Ａは、図示の場合ディスクを収納した収納ケースであるが、第１の実施形態と同様にディスクのみであってもよい。
【００５６】
勿論、ディスク以外の物品であってもよい。
【００５７】
上記の陳列ケースＫの構成は、第１の実施形態と同様につき説明を省略する。
【００５８】
また、陳列ケースＫの所要位置に設けてある挿入口９から陳列ケースＫに設けてあるガイド手段１０により案内される挿入部材１１を挿入すると共に、この挿入部材１１と箱体１及び蓋体４とに掛合関係によって陳列ケースＫの開放阻止の掛合手段Ｂが設けてある。
【００５９】
上記の掛合手段Ｂは、図示の場合、開放縁を突き合わせる両周壁６、６の内面長手方向の溝条４１に挿入部材１１の両側板１５の上縁を噛み合い状に嵌入して、キーの役目をする挿入部材１１により箱体１及び蓋体４の開放を阻止するようにしてあるが限定されない。
【００６０】
要するに、図示に限定されず挿入部材１１の挿入によって、挿入部材１１に対し箱体１側と蓋体４側とが掛合関係になって閉鎖状態の維持をはかるものであればよい。
【００６１】
上記挿入部材１１の構成は、第１の実施形態と同様につき説明を省略する。
【００６２】
そして、第２実施形態の挿入口９は、周壁６に、ガイド手段１０は、箱体１及び蓋体４の主壁５から周壁６の裏面側で所定の間隔を存して平行するガイド壁４２を設けて、このガイド壁４２と周壁６、６との間隙をガイド手段１０としたが、限定されず、例えば第１の実施形態と同様のガイド手段１０を採用することもある。
【００６３】
なお、図７、１０、１１に示すように箱体１及び蓋体４のヒンジのピン７に対向する周壁６の開放縁の片方内面に凹入段部を、もう片方の外面に突出段部を設けて、開放縁の突き合わせを入れ込み状にしたが、限定されず、また第１の実施形態と同様に挿入部材１１の挿入方向側先端に突片１６を、陳列ケースＫ側に孔１８を有する突出部１７を設けて、孔１８に突片１６を貫通させることで、無理矢理な開放方向の力を加えることによる陳列ケースＫの開放をなくすることができる。
【００６４】
また、挿入部材１１には、挿入部材１１の挿入にともないガイド手段１０に接して復元力に抗して押し戻される磁吸されない材質の係止爪４３の所要数が、磁吸される材質の係止爪４４の所要数が挿入方向の線上に設けてあり、陳列ケースＫ側、すなわち、ガイド手段１０側には、挿入部材１１の挿入終了にともない押し戻し力により復帰する各係止爪４３、４４が図１３に示すように係合関係になって挿入部材１１の引き抜きを阻止する係合部４５が設けてある。
【００６５】
上記係止爪４３は、前後に多数、係止爪４４は、前後に２個（図９の場合）、又は１個（図１３の場合）設けたが、数は自由で解除を複雑にするため適宜決定すればよい。
【００６６】
そして、係合部４５も係止爪４３側にあっては、ガイド手段１０の周壁６側に、係止爪４４側にあっては、周壁６の表面側で磁石を用いて磁吸するので、ガイド壁４２に設けてある。
【００６７】
上記磁吸されない係止爪４３としては、合成樹脂製の挿入部材１１の成形の際一体的に成形し、コ字状のスリット４６の内側で、周壁６の裏面方向に突出させて設けたが、磁吸されない材質の別部品の係止爪４３の端末側を挿入部材１１に固着して設けることもある。
【００６８】
上記磁石により磁吸される係止爪４４としては、金属製の鉄片により形成して、挿入部材１１に係止爪４４の末端側を固着（接着剤やかしめピンなどで）して設ける。
【００６９】
そして、周壁６の係止爪４３の自由端部と合致する部分には、解除具４７の係止爪４３の押し戻し用突軸４８が貫通する貫通孔４９が設けてあり、解除具４７に係止爪４４を磁吸する磁石５０も設けてある。
【００７０】
すなわち、係止爪４３は、挿入部材１１の周壁６の裏面に対向する表面側に設けてあり（図８、図９、図１１、図１２参照）、係止爪４４は、挿入部材１１の裏面側に設けてあり（図８、図１０、図１５参照）、また係止爪４３、４４も、図１６、図１７に示すように、合成樹脂により成形した挿入部材１１にスリット４６を入れて、このスリット４６の内側に挿入部材１１の表面側に突出する係止爪４３と挿入部材１１の裏面側に突出する係止爪４４とを設けると共に、上記係止爪４４の自由端側に磁吸される金属のビス６１のネジ込みや、金属片を接着材などで取付けて形成することもある。
【００７１】
そして、磁吸される係止爪４４は、挿入部材１１の裏面にかえて挿入部材１１の片方の側面に設けることもできる。
【００７２】
なお、上記の係合部４５は、挿入部材１１の挿入にともない係止爪４３、４４が乗り越えるテーパー突起や、孔、凹入部などで形成する。
【００７３】
図中５１は、主壁５に設けた貫窓である。
【００７４】
上記のように構成すると、挿入口９からガイド手段１０により案内されながら挿入部材１１を挿入し、挿入部材１１の挿入終了にともない合致する各係合部４５に各係止爪４３、４４が図１３に示すように係合関係になって、陳列ケースＫに対する挿入部材１１の抜き取りが阻止され、この状況下での陳列ケースＫの開放が阻止されて、陳列ケースＫ内の盗難防止対象物Ａの盗難を防止する。
【００７５】
次に係合関係の解除方法を説明する。
【００７６】
図１４に示すようにショップ側の解除具４７の突軸４８を各貫通孔４９に嵌入する。
【００７７】
すると、突軸４８により全ての係止爪４３を押し戻して、係止爪４３と係合部４５との係合関係を解除する。
【００７８】
また、図１４に示すように係止爪４４に合致した解除具４７の磁石５０により係止爪４４を磁吸するので、係止爪４４を引き戻しながら、係合部４５と係止爪４４との係合関係を解除する（図１４に示す）。
【００７９】
次いで、挿入部材１１の末端の片５５に指先を引っかけて挿入部材１１を抜き取り、抜き取った挿入部材１１をショップ側に回収する。
【００８０】
すると、陳列ケースＫが、貸し出しや販売ケースとして転用する。
【００８１】
勿論、陳列ケースＫに挿入部材１１が存在しないため、転用時に陳列ケースＫの開閉が自由になる。
【００８２】
上述の磁吸されない係止爪４３と磁石により磁吸される係止爪４４の併用の要因は、かりに顧客によって各貫通孔４９に棒材を押し込んで係止爪４３を押し戻して係合関係を解除できても隠蔽状態にある係止爪４４の存在によって解除（係合関係を）できないようにする。
【００８３】
そして、磁吸される係止爪４４の配置の変更によって困難性を助長する。
【００８４】
なお、挿入部材１１の片方の側面に磁吸される係止爪４４を配置した場合の解除は、図１８に示すように解除具４７の係止爪４４の反対側の側面に配置した磁石５０により係止爪４４を磁吸（この磁吸は、側板１５の表面側に）する。
【００８５】
すると、係合部４５から係止爪４４の先端が外れて、係合部４５と係止爪４４との係合関係が解除される。
【００８６】
勿論、同時に係止爪４３は、突軸４８によって押し戻されて、係止爪４３と係合部４５との係合関係が解除されるようになっている。
【００８７】
この発明の第３の実施形態では、第１及び第２の実施形態の挿入部材１１にタグＣを設ける。
【００８８】
上記のタグＣは、例えば周知のように、固有のＩＤコードをもち、ショップの出入口通過の際、出入口に設置の高周波電磁界の発生により共振回路が共振して固有のＩＤコードの発信にともない高周波電磁界を変調させるもので、店外の持ち出しを検出する。
【００８９】
すると、施錠状況下でショップに陳列してある陳列ケースＫの持ち出しを阻止し、挿入部材１１のショップ側への回収後の転用した陳列ケースＫのわずらわしいシールド作業が不要になる。
【００９０】
なお、第１の実施形態のガイド手段１０は、周壁６の外側に、第２の実施形態のガイド手段１０は、周壁６の内側に設けたが、限定されず、周壁６の内、外のいずれかに設ける。
【００９１】
そして、陳列ケースＫは、ガイド手段１０、挿入部材１１の挿入にともない閉鎖維持の掛合手段Ｂ付の箱体１及び蓋体４により構成される。
【００９２】
また、箱体１及び蓋体４の周壁６は、辺縁の全長に設けたが、辺縁の必要な部分、例えばコーナー部分のみで、中間が欠落するなど、或いは必要な辺のみに設けることもある。
【００９３】
この発明の第４の実施形態では、図１９から２３に示すように、第１及び第２の実施形態と同様の陳列ケースＫの挿入口９から陳列ケースに設けてあるガイド手段１０により案内される挿入部材１１を挿入すると共に、この挿入部材１１と箱体１及び蓋体４との掛合手段Ｂの係合関係によって陳列ケースＫの開放を阻止するようになっている。
【００９４】
上記の盗難防止対象物Ａを収納した陳列ケースＫ、挿入口９、挿入部材１１、ガイド手段１０及び掛合手段Ｂの構成は、第１及び第２の実施形態と同様につき説明を省略する。
【００９５】
また、上記挿入部材１１の所要面には、挿入部材１１の挿入にともないガイド手段１０や陳列ケースＫの壁の内面やガイド手段１０に接触して復元力に抗して押し戻される磁吸されない係止爪４３及び磁吸される係止爪４４が設けてある。
【００９６】
そして、ガイド手段１０や陳列ケースＫの壁の内面には、挿入部材１１の挿入終了にともない合致した挿入部材１１の挿入時係止爪４３、４４が乗り越えるテーパー突起又は孔や凹入部などの係合部４５に復元力により嵌り込んだ係止爪４３、４４が係合関係になって、この係合関係によって挿入部材１１の顧客による抜き取りを阻止するようになっている。
【００９７】
上記磁吸されない係止爪４３及び磁吸される係止爪４４は、第２の実施形態と同様につき説明を省略する。
【００９８】
そして、挿入部材１１に対する配置は、図示の場合、挿入部材１１の下面に係止爪４３、４４を挿入線上の前後に（手前に係止爪４３を後方に係止爪４４を）設け、ガイド手段１０の上面に係合部４５を設けたが、限定されず、例えば挿入部材１１の図示両側面の片方に磁吸されない係止爪４３を、もう片方に磁吸される係止爪４４を（図示省略）設けたり、或いは片方の側面に磁吸されない係止爪４３と磁吸される係止爪４４を設けて目的を達成するようにしてもよい。
【００９９】
勿論、係合部４５も係止爪４３、４３に対向（合致）するようにしておく。
【０１００】
なお、磁吸されない係止爪４３及び磁吸される係止爪４４の数も図示に限定されず、適宜決定すればよい。
【０１０１】
上記のように構成することにより、挿入部材１１の挿入によって係合部４５と磁吸されない係止爪４３及び磁吸される係止爪４４との係合関係により（図２２に示す）顧客による挿入部材１１の抜き取りが阻止されるので、この状況下での陳列ケースＫの開放ができなくなる。
【０１０２】
このため、収納してある盗難防止対象物Ａの盗難を防止することができる。
【０１０３】
また、挿入部材１１に盗難防止タグＣを設けておく。
すると、陳列ケースＫの店外への持ち出しを検出して盗難防止に役立つ。
【０１０４】
上記の盗難防止タグＣは、第３の実施形態と同様につき説明を省略する。
【０１０５】
次に係合関係の解除方法を説明する。
【０１０６】
図２４に示すように、例えば溝形の解除具１０１を陳列ケースＫの挿入口９側から嵌装してスライドさせる。
【０１０７】
スライドにともない磁吸されない係止爪４３に向けて嵌入する杆材１０２が突き進み、係止爪４３に杆材１０２の先端のテーパー部１０６が係止爪４３のテーパー部１０７に当接し、杆材１０２の突き進みの続行により乗り越えるので、係止爪４３を押し戻して係合部４５に対する係止爪４３の係合関係を解除する（図２５に示す）。
【０１０８】
そして、係止爪４３の係合関係の解除終了状況下に磁吸される係止爪４４に解除具１０１に支持させてある磁石１０３が合致する。
【０１０９】
合致にともない磁吸される係止爪４４を磁吸するので、図２５に示すように、係止爪４４と係合部４５との係合関係が解除される。
【０１１０】
次いで、図２５の左方向に解除具１０１をスライドさせる（陳列ケースＫを図２５の右方向にスライドさせてもよい）。
【０１１１】
このとき、解除具１０１のフック１０４が挿入部材１１の片１０５に引っかかっているので、解除具１０１と共に挿入部材１１が（陳列ケースＫに対し）引き抜かれ、引き抜いた挿入部材１１は、ショップ側に回収する。
【０１１２】
挿入部材１１の存在しない陳列ケースＫは、販売や貸し出しに転用する。
【０１１３】
上記磁吸されない係止爪４３と磁吸される係止爪４４の併用の要因は、第２の実施形態と同様につき説明を省略する。
【０１１４】
この発明の第５の実施形態では、図２６、２７に示すように、品物Ｘを収納した盗難防止対象物Ｙの所定位置には、挿入口７１が設けてある。
【０１１５】
上記の盗難防止対象物Ｙとしては、図示の場合、ケース７２に品物Ｘを収納し、その外側を透明な合成樹脂製のカバー７３で被ったもの（当然ケース７２とカバー７３とに合致する挿入口７１を設けておく）を示したが、限定されず、例えばブリスタパック方式の例えば台紙と品物の形状に合わせてプラスチックを成形したカバーとを組み合わせたものや、スキン包装方式、ストリップ包装方式、通常の箱体と蓋体とからなり、その外側を熱収縮フィルムにより被って陳列時に収納品物の取り出しを困難にした包装方式やその他の包装方式（いずれも公知につき図示省略）のもので、要するに、ショップでの陳列にともない盗難を防止したい品物（商品）で、上記以外にメーカーから出荷された包装ずみ品物（商品）や類似する包装ずみ品物で、例えば品物（未包装の品物）がレンタル店などで、準備されたレンタル用ケースに収納されてレンタルされるものに適用する。
【０１１６】
そして、いずれもカバーやフィルムがある場合、カバーやフィルムに挿入口７１が設けてある。
【０１１７】
１１は挿入口７１から挿入する挿入部材である。
【０１１８】
７４は盗難防止対象物Ｙ内に設けた挿入部材１１のガイド手段である。
【０１１９】
上記のガイド手段７４は、図示の場合、ケース７２の上周辺の壁７５と、この壁７５に対向するように（挿入部材１１の挿入可能な間隙を形成するように）ケース７２内に設けたガイド用の壁７６及びケース７２の両側壁とで角筒の空間を形成して構成（挿入部材１１の挿入開始からガイドされるように）したが、上記構成に限定されず、その他の構成によって挿入した挿入部材１１をガイドするものであればよい。
【０１２０】
また、挿入部材１１の図示上面（壁７５に対向する面）には、挿入部材１１の挿入にともない壁７５の内面に接触して押し戻され、挿入部材１１の挿入終了にともない壁７５の内面に設けてある係合部４５に嵌り込んで係合関係になると共に、この係合関係によって挿入部材１１の引き抜きを阻止する磁吸されない係止爪４３が、また挿入部材１１の下面（壁７６に対向する面）或いは挿入部材１１の側面のいずれか片方には、挿入部材１１の挿入にともない押し戻され、挿入終了にともないガイド手段７４の面（図示の場合、壁７６に）設けてある係合部４５に嵌り込んで係合関係になると共に、この係合関係によって挿入部材１１の引き抜きを阻止する磁吸される係止爪４４が設けてある。
【０１２１】
すると、ショップ側で挿入した挿入部材１１は、顧客による抜き取りが阻止される。
【０１２２】
そして、挿入部材１１に盗難防止タグＣを設けて、顧客によるショップからの盗難防止対象物Ｙの持ち出しを防止する。
【０１２３】
上記磁吸されない係止片４３、磁吸される係止爪４４及び係合部４５は、第２の実施形態と同様につき、また盗難防止タグＣは、第３の実施形態と同様につき構成並びに作用効果の説明を省略する。
【０１２４】
上記ショップ側による挿入部材１１の抜き取りにともなう係合部４５に対する係止爪４３、４４の係合関係の解除（突軸４８と磁石５０との併用による）は、第２の実施形態と同様につき説明を省略する。
【０１２５】
また、盗難防止対象物Ｙのケース７２の壁７５（係合部４５を設けてある）には、壁７５の外面から内面の係合部４５を設けてある位置に解除具４７の突軸４８を貫通させて係止片４３を押し戻すと共に、この押し戻しによって係合部７４と係止爪４３の係合関係を解除する貫通孔４９が設けてある。
【０１２６】
なお、抜き取った挿入部材１１は、ショップ側に回収して再使用する。
【０１２７】
上記のように、磁吸されない係止片４３と、磁吸される係止片４４との組み合わせによって、第２の実施形態と同様に特有な効果を発揮する。
【０１２８】
すなわち、上述の磁吸されない係止爪４３と磁石５０により磁吸される係止爪４４の併用の要因は、かりに顧客によって各貫通孔４９に棒材を押し込んで係止爪４３の係合関係を解除することができても、隠蔽状態にある係止爪４４の存在によって解除（係合関係を）できないようにする。
【０１２９】
そして、解除の困難性を助長すると共に、係止爪４４の数や配置により尚一層困難にする。
【０１３０】
なお、前述の磁吸されない係止爪４３及び磁吸される係止爪４４は、実施形態において、挿入部材１１の表面と裏面に、また表面と片方の側面とに設けたが、挿入部材１１の片方の側面に磁吸されない係止爪４３を、もう片方の側面に磁吸される係止爪４４を（図示省略）を設けることもある。その際、貫通孔４９は、係止爪４３に対向する壁に設ける。
【０１３１】
この発明の第６の実施形態では、図２８、２９に示すように、第５の実施形態と同様の品物Ｘを収納した盗難防止対象物Ｙの挿入口７１から盗難防止対象物Ｙ内のガイド手段７４により案内されて挿入する挿入部材１１の所要面には、挿入部材１１の挿入にともない押し戻される磁吸されない係止片４３と磁吸される係止片４４とが設けてあり、また盗難防止対象物Ｙ内の壁７６には、挿入部材１１の挿入終了にともない押し戻しが解除されて復元力により復帰する係止爪４３、４４が係合関係になって挿入部材１１の抜き取りを阻止する係合部４５が設けてある。
【０１３２】
上記盗難防止対象物Ｙ、挿入口７１、ガイド手段７４、係合部４５は、第５の実施形態と同様につき構成の説明を省略する。
【０１３３】
また、磁吸されない係止爪４３、磁吸される係止爪４４及び係合部４５は、第４の実施形態と同様につき構成及び作用の説明を省略する。
【０１３４】
さらに、挿入部材１１に対する係止爪４３、４４の配置も図２９に示す挿入部材１１の下面前後に限定されず、第４の実施形態に説明した位置に設けてもよい。
【０１３５】
すなわち、例えば挿入部材１１の図示上面に磁吸されない係止爪４３を、下面に磁吸される係止爪４４を配置したり、或いは挿入部材１１の片方側面に係止爪４３、４４を、また挿入部材１１の両側片方に係止爪４３を、もう片方に係止爪４４を配置するなど適宜決定すればよい。
【０１３６】
そして挿入部材１１には、盗難防止タグＣが設けてある。
【０１３７】
上記盗難防止タグＣの構成及び作用効果は、第３の実施形態と同様につき説明を省略する。
【０１３８】
上記のように構成すると、ショップで展示してある盗難防止対象物Ｙの店外への持ち出しを、盗難防止対象物Ｙに挿入してあるタグＣ付の挿入部材１１により検知できる。
【０１３９】
そして挿入部材１１の顧客による抜き取りは、係合部４５に係合関係にある磁吸されない係止爪４３及び磁吸される係止爪４４によって阻止する。
【０１４０】
上記ショップ側に引き抜いて回収する挿入部材１１の係止爪４３、４４の係合関係の解除方法は、第４の実施形態と同様につき説明を省略する。
【０１４１】
勿論、磁吸されない係止爪４３と磁吸される係止爪４４の併用による特有作用効果は、第４の実施形態と同様につき説明を省略する。
【０１４２】
図中１２１は挿入部材１１に設けてある杆材１０２の挿入口である。
【０１４３】
なお、盗難防止対象物Ｙ内にガイド手段７４を設ける要因は、挿入部材１１の安定した挿入を保障して、収納してある品物Ｘと挿入部材１１の挿入先行端との衝突を回避して、品物Ｘの損傷を防止することにある。
【０１４４】
また、第５、６の実施形態の磁吸されない係止爪４３及び磁吸される係止爪４４を直列状に配置したが、限定されず、左右に並列状に配置することもある。
【図面の簡単な説明】
【０１４５】
【図１】この発明の第１の実施形態の陳列ケースを示す斜視図
【図２】挿入部材と陳列ケースの斜視図
【図３】挿入部材を挿入した一部切欠側面図
【図４】同上の横断平面図
【図５】同一部切欠正面図
【図６】解除を示す一部切欠側面図
【図７】第２の実施形態の陳列ケースを示す斜視図
【図８】挿入部材と陳列ケースの斜視図
【図９】挿入部材を挿入した一部切欠側面図
【図１０】同一部切欠正面図
【図１１】同一部切欠正面図
【図１２】同一部切欠平面図
【図１３】係止爪と係合部との係合関係を示す一部切欠側面図
【図１４】係合関係の解除を示す一部切欠側面図
【図１５】挿入部材の裏面側の斜視図
【図１６】他の挿入部材の表面側の斜視図
【図１７】同上の挿入部材の裏面側斜視図
【図１８】挿入部材の側面に設けた磁吸される係止爪の係合関係を解除する縦断正面図
【図１９】第４の実施形態を示す分解斜視図
【図２０】挿入部材の裏面側斜視図
【図２１】陳列ケースに挿入部材を挿入した横断平面図
【図２２】同上の一部切欠側面図
【図２３】同一部切欠正面図
【図２４】解除具の斜視図
【図２５】解除を示す一部切欠側面図
【図２６】第５の実施形態を示す一部切欠斜視図
【図２７】挿入部材を挿入した縦断側面図
【図２８】第６の実施形態を示す一部切欠斜視図
【図２９】挿入部材を挿入した縦断側面図
【符号の説明】
【０１４６】
Ｋ      陳列ケース
Ａ      盗難防止対象物
Ｂ      掛合手段
Ｃ      タグ
Ｄ      解除具
１      箱体
２      開口
３      ヒンジ
４      蓋体
５      主壁
６      周壁
７      ピン
８      支持爪
９      挿入口
１０    ガイド手段
１１    挿入部材
１２    連成壁
１３    突出条
１４    連結板
１５    側板
１６    突片
１７    突出部
１８    孔
１９    抱き込み片
２１    係止爪
２２    係合部
２３    鉄片
２４    傾動支点部
２５    ストッパ手段
２６    壁
２７    突出部
３１    磁石
３２    片
４１    溝条
４２    ガイド壁
４３    係止爪
４４    係止爪
４５    係合部
４６    スリット
４７    解除具
４８    突軸
４９    貫通孔
５０    磁石
Ｘ      品物
Ｙ      盗難防止対象物
７１    挿入口
７２    ケース
７３    カバー
７４    ガイド手段
７５    壁
７６    壁
１０１  解除具
１０２  杆材
１０３  磁石
【図１】
2006188235.tif 000003
【図２】
2006188235.tif 000004
【図３】
2006188235.tif 000005
【図４】
2006188235.tif 000006
【図５】
2006188235.tif 000007
【図６】
2006188235.tif 000008
【図７】
2006188235.tif 000009
【図８】
2006188235.tif 000010
【図９】
2006188235.tif 000011
【図１０】
2006188235.tif 000012
【図１１】
2006188235.tif 000013
【図１２】
2006188235.tif 000014
【図１３】
2006188235.tif 000015
【図１４】
2006188235.tif 000016
【図１５】
2006188235.tif 000017
【図１６】
2006188235.tif 000018
【図１７】
2006188235.tif 000019
【図１８】
2006188235.tif 000020
【図１９】
2006188235.tif 000021
【図２０】
2006188235.tif 000022
【図２１】
2006188235.tif 000023
【図２２】
2006188235.tif 000024
【図２３】
2006188235.tif 000025
【図２４】
2006188235.tif 000026
【図２５】
2006188235.tif 000027
【図２６】
2006188235.tif 000028
【図２７】
2006188235.tif 000029
【図２８】
2006188235.tif 000030
【図２９】
2006188235.tif 000031